(57)【特許請求の範囲】
【請求項１】
位置検出部から出力される観測地点の位置情報及び時計部から出力される日時情報に基づいて、方位及び高度で表される星の座標値を特定し、特定した座標値へ予め登録した明度または色相に応じた星及び星空を表示部へ出力する星座表示装置において、
観測者の視点から前記表示部までの距離を測距装置により設定する手段と、
出力する星及び星空の表示高度を観測者の視点から前記表示部までの距離に対応させて、観測者の視点から前記表示部までの距離が小さくなるにつれて表示高度が大きくなるよう登録した視野角データベースと、
設定した距離に応じて前記表示部へ出力する星及び星空の表示高度を、前記視野角データベースを参照し、観測者の視点から前記表示部までの距離が小さくなるにつれて表示高度が大きくなるよう決定する手段と
を備えることを特徴とする星座表示装置。
【請求項２】
前記表示部の傾斜角度に基づき検出される仰角検出部と、
前記表示部の表示方向に基づき検出される方位角検出部と、
前記仰角検出部から出力される仰角、及び、前記方位角検出部から検出される方位角に基づいて、表示部へ出力される星及び星空の表示位置を補正する手段と
を更に備えることを特徴とする請求項１に記載の星座表示装置。
【請求項３】
前記位置検出部から出力される位置情報に応じて、表示部へ出力する星の明度に対する閾値を設定する手段と、
設定された閾値を越える星のみを表示部へ出力する手段と、
太陽の日の出または日の入り時刻に基づいて、前記設定した閾値を補正する手段と
を更に備えることを特徴とする請求項１または２に記載の星座表示装置。
【請求項４】
通信部と、
該通信部を介して外部から学習用の問題を受信する手段と、
受信した学習用の問題を記憶する手段と、
記憶した学習用の問題を読み出して前記表示部へ出力する手段と
を更に備えることを特徴とする請求項１乃至３のいずれか一つに記載の星座表示装置。
【発明の詳細な説明】
【０００１】
【発明の属する技術分野】
本発明は、学校の屋外学習等で用いられる星座観測用の星座表示装置に関し、特に観測者の位置、観測日時、方向、仰角等に応じて表示される星及び星空を補正する星座表示装置に関する。
【０００２】
【従来の技術】
夜間に星座を観測して自然現象に対する理解を高める屋外学習が授業の一環として行われている。星座の配置、名称等を正しく理解するために、授業においては星座が描かれた星座板を用いて授業を行っている。星座の座標値は位置または日時によって変化するものであるため、観測者の観測位置または観測日時に応じた星座を表示する自然環境案内装置が特開平７―１２１１０６号公報に開示されている。
【０００３】
特開平７−１２１１０６号公報に開示された自然環境案内装置は、観測時の日時を特定し、またＧＰＳを用いて観測位置を特定し、特定した観測日時、観測位置に応じて、自然環境の現象を反映させた全天図を出力させる構成となっている。また、特開２０００−２９８０３５号公報には、自動車の進行方向、現在地、日時に応じて車両進行方向に見えるであろう星座画像を生成し、案内画像の背景として利用するナビゲーションシステムが開示されている。
【０００４】
【発明が解決しようとする課題】
屋外学習等において、使用される可搬性の星座表示装置は、観測者が星座表示装置を目の前に近づけて利用する場合、または遠ざけて利用する場合がある。かかる場合で、星座表示装置が観測者の目の前にある場合は、現実の星及び星空は星座表示装置に視界を遮られるので、表示される星及び星空の画像は大きい範囲で映し出されるべきである。反対に星座表示装置が観測者の目から離れるにつれ、現実の星及び星空は星座表示装置に視界をほとんど遮ることはないので、表示される星及び星空の画像は小さい範囲で映し出されるべきである。しかしながら、従来の自然環境案内装置またはカーナビゲーションシステムは、学習時における使用状況を考慮していないため、上述した観測者の視点に立った表示を行うことができず、自然現象を正しく理解しようとする場合には適さないという問題があった。
【０００５】
また、星座を観測する場合、常に真上（仰角９０度方向）を見ているだけとは限らず、傾けて（例えば仰角６０度方向）観測したい場合、または方角を変えて（例えば北方向）観測したい場合があり、観測者が保持する星座表示装置の傾斜、方角に応じて正確に星及び星空を表示すべきだという要請があった。
【０００６】
また、日の出または日の入りの時間帯では、徐々に空が暗く、または明るくなり、肉眼で視認できる星の数が大きく変わってくる。このようなことから、日の出、日の入り時にはこれらの現象を考慮することが、学習の理解に大きく寄与することになる。また、現実には都市部では光害により等級の大きい星は視認できず、このような社会事情をも考慮することが学習においては重要である。
【０００７】
さらに、星座表示装置を学習用に用いた場合、教師が生徒に授業の効果を確認したいという問題もあった。
【０００８】
本発明は斯かる事情に鑑みてなされたものであり、その目的とするところは、使用状況に応じて、表示される星及び星空を適宜補正することにより、より自然現象の理解を深めることが可能な星座表示装置を提供することにある。
【０００９】
また、本発明の他の目的は、学習用の問題を配信することにより、学習効果を容易に確認することが可能な星座表示装置を提供することにある。
【００１０】
【課題を解決するための手段】
本発明に係る星座表示装置は、位置検出部から出力される観測地点の位置情報及び時計部から出力される日時情報に基づいて、方位及び高度で表される星の座標値を特定し、特定した座標値へ予め登録した明度または色相に応じた星及び星空を表示部へ出力する星座表示装置において、観測者の視点から前記表示部までの距離を測距装置により設定する手段と、出力する星及び星空の表示高度を観測者の視点から前記表示部までの距離に対応させて、観測者の視点から前記表示部までの距離が小さくなるにつれて表示高度が大きくなるよう登録した視野角データベースと、設定した距離に応じて前記表示部へ出力する星及び星空の表示高度を、前記視野角データベースを参照し、観測者の視点から前記表示部までの距離が小さくなるにつれて表示高度が大きくなるよう決定する手段とを備えることを特徴とする。
【００１１】
本発明にあっては、位置検出部から出力される位置情報及び時計部から出力される日時情報に基づいて、星の座標値を特定する。そして、特定した座標値へ予め登録した明度または色相に応じた星及び星空を表示部へ出力する。ここで、観測者の視点と、星座表示装置との間の距離が小さい場合、表示される星及び星空の画像は大きく映し出され、距離が大きい場合、表示される星及び星空の画像は小さく映し出される。そのため、観測者の視点から前記表示部までの距離を設定する。距離の設定は、大まかな距離を観測者が入力するかまたは、星座表示装置に備え付けられた測距装置等により行う。距離が設定された場合、設定した距離に応じて前記表示部へ出力する星及び星空の表示高度を、例えば同心円状に変化させることによって決定する。このように構成したので、より自然現象の理解を深めることが可能となる。
【００１２】
本発明にかかる星座表示装置は、前記表示部の傾斜角度に基づき検出される仰角検出部と、前記表示部の表示方向に基づき検出される方位角検出部と、前記仰角検出部から出力される仰角、及び、前記方位角検出部から検出される方位角に基づいて、表示部へ出力される星及び星空の表示位置を補正する手段とを更に備えることを特徴とする。
【００１３】
本発明にあっては、仰角検出部から出力される仰角、及び、前記方位角検出部から検出される方位角に基づいて、表示部へ出力される星及び星空の表示位置を補正するようにしたので、観測者が仰角を変更させ、また方角を変更させた場合でも、現実の星及び星空に対応した画像が表示され、自然現象を正確に理解することが可能となる。
【００１４】
本発明にかかる星座表示装置は、前記位置検出部から出力される位置情報に応じて、表示部へ出力する星の明度に対する閾値を設定する手段と、設定された閾値を越える星のみを表示部へ出力する手段と、太陽の日の出または日の入り時刻に基づいて、前記設定した閾値を補正する手段とを更に備えることを特徴とする。
【００１５】
本発明にあっては、位置情報に応じて、表示部へ出力する星の明度に対する閾値を設定する。例えば、観測地点が都心部の場合、閾値を３等星以上とし、この閾値を越える星のみ（２等星以上）を表示部へ出力する。これにより、自然現象に与える光害の影響をも理解することが可能となる。また、太陽の日の出または日の入り時刻に基づいて、設定した閾値を補正する。例えば、日の出時刻に観測していた場合、等級の小さい星しか表示しない処理を行う。これにより、太陽が他の星に与える影響をも考慮した学習が可能となる。
【００１６】
本発明にかかる星座表示装置は、通信部と、該通信部を介して外部から学習用の問題を受信する手段と、受信した学習用の問題を記憶する手段と、記憶した学習用の問題を読み出して前記表示部へ出力する手段とを更に備えることを特徴とする。
【００１７】
本発明にあっては、通信部を介して外部から学習用の問題を受信し、受信した学習用の問題を記憶しておく。そして、星座観測終了後に、記憶した学習用の問題を読み出して表示部へ出力するようにしたので、教師が作成した問題を配信して生徒の星座表示装置ですぐに学習でき、観測の効果を容易に確認することが可能となる。
【００１８】
【発明の実施の形態】
以下本発明を実施の形態を示す図面に基づいて詳述する。
図１は本発明に係る星座表示装置１のハードウェア構成を示すブロック図である。図に示すようにＣＰＵ(Central Processing Unit)１１にはバス１７を介してＲＡＭ（Random Access Memory）１２，ハードディスク等の記憶部１５、他のコンピュータまたは他の座標表示装置等と情報を送受信するためのモデム等の通信部１６，液晶ディスプレイ等の表示部１４を駆動するための表示部駆動回路１４１、及びキーボタン、及び表示部１４の表面に設けられるタッチパネル等の入力部１３等が接続される。ＲＡＭ１２には記憶部１５、表示部駆動回路１４１，及び入力部１３等を制御するための制御プログラム１２ｐがロードされている。
【００１９】
また、星座表示装置１には、現在の年月日及び時、分、秒の時間情報を出力する時計部１８、及び加速度センサ等の仰角検出部１９を備える。仰角検出部１９は、表示部１４の傾斜角度に応じた仰角を検出するよう構成されており、表示部１４を真上にかざした場合、つまり高度９０度方向へかざした場合、仰角９０度を検出する。また、表示部１４を地平線方向へかざした場合、つまり高度０度方向へかざした場合、仰角０度を検出する。さらに星座表示装置１は、観測地点の緯度、経度及び方角を検出するためのＧＰＳ(Global Positioning System)モジュールＧを備える。
【００２０】
ＧＰＳモジュールＧは、観測地点の緯度及び経度を検出する位置検出部Ｇ１、観測方向を検出するジャイロスコープ等の方位角検出部Ｇ２、衛星から受信した信号を位置検出部Ｇ１及び方位角検出部Ｇ２へ出力するＧＰＳアンテナＧ３、各地域の地図情報を記憶した地図データ記憶部Ｇ４により構成される。なお、方位角検出部Ｇ２は表示部１４の表示方向に基づき方位角を検出する。例えば表示部１４の表示方向が東方向である場合、観測者の視線は西方向であるので、方位角検出部Ｇ２は１８０度反対の東方向の方位角を検出する。また、地図データ記憶部Ｇ４の内容は通信部１６から最新の情報をダウンロードできるようになっている。なお、本実施の形態においては位置情報または方角の検出をＧＰＳにより行うこととしているが、これに限らずＰＨＳ(Personal Handy Phone System)基地局の信号を基に位置及び方角を検出するようにしても良い。
【００２１】
記憶部１５には星ＤＢ（Database）１５１，流星ＤＢ１５２，視野角ＤＢ１５３等が用意されている。これら各種ＤＢは予め記憶部に格納されており、また必要に応じて通信部１６から最新の情報をダウンロードできるようになっている。各ＤＢの詳細については後述する。
【００２２】
図２は星ＤＢ１５１のレコードレイアウトを示す説明図である。星ＤＢ１５１には年月日毎に各星の赤緯、赤経、等級（明度）、色相（Ｒ、Ｇ、Ｂ）、視直径（表示部１４へ表示する星の直径）等が登録されている。この他、惑星であれば公転周期等の情報が登録されている。
【００２３】
図３は表示部１４に表示される星及び星空のイメージを示す説明図である。星の位置は南の方角を０度、北の方角を１８０度とする方位、及び、円の中心部を９０度、外周部を０度とする高度により座標が特定される。星の座標は日時及び観測地点の緯度・経度により特定され、下記の式１乃至式４により算出できる。
【００２４】
cosh sinA=-cosδ sinH  式１
cosh cosA=cosΨ sinδ-sinΨ cosδ cosH  式２
sinh=sinΨ sinδ+cosΨ cosδ cosH  式３
Ｈ=θG0+1.002738UT-λ-α 式４
h：高度
Ａ：方位
λ：観測地点の緯度
Ψ：観測地の経度
α：赤経
δ：赤緯
Ｈ：時角
θ：地方恒星時
Ｇ0:グリニッジ恒星時
ＵＴ：世界標準時間
【００２５】
ＣＰＵ１１は時計部１８から出力される日時情報に基づき星ＤＢ１５１から赤緯、赤経等のデータを読み出してＲＡＭ１２に格納し、また位置検出部Ｇ１から出力される位置情報もＲＡＭ１２に格納する。そして、式１乃至式４にこれらのデータを入力して各星の方位及び角度を算出する。算出した方位及び角度の座標値は星ＤＢ１５１に記憶される。なお、座標値は位置情報に応じて予め記憶させておき、必要に応じて読み出すようにしても良い。
【００２６】
続いてＣＰＵ１１は時計部１８から出力される日時情報に基づき星空の明度、色相を決定し表示部駆動回路１４１へ出力する。同様に、特定された星の座標値、等級（明度）、色相、視直径等の各データも表示部駆動回路１４１へ出力される。表示部駆動回路１４１はこれらのデータに基づいて表示部１４へ図３の如く星及び星空を出力する。ＣＰＵ１１は適宜のタイミング（例えば５分毎）で日時情報及び位置情報を取り込み、演算を行って表示すべきデータを更新する。なお、星空を表示するための、明度、色相等のデータは記憶部１５に予め記憶されている。
【００２７】
流星ＤＢ１５２には各流星名に対応させて、流星の出現開始年月日・消滅年月日、極大日時、輻射点位置（赤緯・赤経）等のデータが記憶されており、ＣＰＵ１１はこれらのデータを表示部駆動回路１４１へ出力し流星の画像を表示部１４へ表示する。なお、星ＤＢ１５１には各星の逸話、黄経・黄緯等のデータも記憶されており、観測者がスタイラスペン等によりタッチパネルである入力部１３から情報を閲覧したい星を指定することにより、星ＤＢ１５１の内容が読み出されて表示部１４へ出力されるようになっている。
【００２８】
図４は視野角ＤＢ１５３のレコードレイアウトを示す説明図である。図に示すように、観測者の視点から表示部１４までの距離に対応させて、出力する星及び星空の範囲（表示高度）を登録している。星座表示装置１が観測者の視点近傍に存在する場合は高度９０度から０度までの全ての範囲にわたり、星及び星空を出力する。そして、星座表示装置が観測者の視点から離れるにつれ表示高度範囲を狭めて星及び星空を出力する。
【００２９】
観測者の視点から表示部１４までの距離の設定は、入力部１３から観測者が適宜入力または選択するほか、ＣＣＤカメラ等を用いた測距装置（図示せず）を表示部１４近傍に設けておき、適宜のタイミングで距離を測定するようにしても良い。
【００３０】
以下に、表示部１４へ出力する星及び星空の範囲を補正する際の処理手順についてフローチャートを用いて説明する。図５は表示部１４へ出力する星及び星空の範囲を補正する際の処理手順を示すフローチャートである。まず、時計部１８から出力される日時情報を取得し（ステップＳ５１）、ＧＰＳモジュールＧの位置検出部Ｇ１から位置情報を取得する（ステップＳ５２）。ＣＰＵ１１は取得した日時情報に基づき、星ＤＢ１５１を検索して、赤緯、赤経等のデータをＲＡＭ１２に格納する。そして取得した位置情報、日時情報及びＲＡＭ１２に格納したデータを上述した式１乃至４へ代入して各星の方位及び方角を特定する（ステップＳ５３）。
【００３１】
ＣＰＵ１１は、入力部１３から入力された値に基づき、観測者の視点から表示部１４までの距離を設定する（ステップＳ５４）。ＣＰＵ１１は視野角ＤＢ１５３を参照し設定された距離に対応する表示角度を検索して、表示高度、すなわち星及び星空を表示する範囲を決定する（ステップＳ５５）。ＣＰＵ１１は各星の等級（明度）、色相、視直径、及び座標値、並びに、星空のデータを読み出し（ステップＳ５６）、決定した表示高度範囲内の星及び星空のみを表示部駆動回路１４１へ出力する（ステップＳ５７）。表示部１４は表示部駆動回路１４１の制御に従い、観測者の視点から表示部１４までの距離に応じた星及び星空を表示する。
【００３２】
図６は観測者が星座表示装置１の仰角を変えた場合に、表示されるイメージを示す説明図である。ここで仰角は観測者が真上を見上げて星座表示装置１を利用している場合の角度を９０度、地平線方向を見て星座表示装置１を利用している場合の角度を０度であるものとして説明する。図６（ａ）は仰角９０度の場合に表示されるイメージを示す説明図である。ＣＰＵ１１は星及び星空を表示すると共に、位置検出部Ｇ１から出力される位置情報を基に、地図データ記憶部Ｇ４を参照し観測地点から所定の半径内の地図データを読み出す。読み出された地図データの内、高度が一定値以上の建築物及び山を抽出し、かかる建築物及び山の画像を生成して図６（ａ）の如く表示する。
【００３３】
図６（ｂ）は観測者が西の方角を向いて観測している場合に表示されるイメージを示す説明図である。ＣＰＵ１１は方位角検出部Ｇ２から出力される方角データに基づいて出力される星、星空、建築物及び山の画像を回転させて表示部駆動回路１４１へ出力し表示部１４へ表示する。図６（ｂ）は観測者が西の方向を向き真上（仰角９０度）に星座表示装置１を掲げている場合を想定している。
【００３４】
図６（ｃ）は仰角０度の場合に表示されるイメージを示す説明図である。ＣＰＵ１１は仰角検出部１９から出力される仰角に基づき、出力する星、星空及び建築物及び山の高度座標値を補正し、補正後の座標値を参照して星、星空、建築物、及び山を表示部駆動回路１４１へ出力し表示部１４へ表示する。なお、西方向の地上の画像は黒色を表示するなどして補完するようにすればよい。
【００３５】
観測者が観測する仰角及び方角を変更した場合における処理手順を以下にフローチャートを用いて説明する。図７は観測する仰角及び方角を変更した場合における表示位置の補正処理手順を示すフローチャートである。上述したように、表示される星、星空、建築物及び山などの座標値を特定した後、方位角検出部Ｇ２から検出（ステップＳ７１）される方位角に基づいて、特定した座標値を回転させる補正処理を行う（ステップＳ７２）。回転は座標値を、回転行列を用いて変換するようにすればよい。
【００３６】
ＣＰＵ１１は仰角検出部１９から検出（ステップＳ７３）される仰角に基づいて回転後の高度座標値を変更する補正処理を行う（ステップＳ７４）。補正処理は仰角に応じて高度座標を変更させるようにすればよい。そして補正した後の星、星空、建築物及び山等の画像を表示部１４へ出力する処理を行う。なお、これらの画像については地形画像ＤＢ１５５に予め記憶されている。
【００３７】
図８は光害ＤＢ１５４のレコードレイアウトを示す説明図である。図に示すように地域毎の緯度範囲及び経度範囲、並びに表示すべき星に対する閾値が登録されている。例えば○○都△△区では閾値が３と設定されており、等級が３以上の明るい星しか表示しない処理を行う。一方、○○県△△町では、閾値が６と設定されており、等級が６以上の比較的暗い星まで表示する処理を行う。
【００３８】
光害（街の灯り、太陽）を考慮した星の表示処理手順について以下にフローチャートを用いて説明する。図９は光害を考慮した星の表示処理手順を示すフローチャートである。まず、ＣＰＵ１１は位置検出部Ｇ１から位置情報（経度・緯度）を取得し（ステップＳ９１）、取得した緯度・経度を基に、光害ＤＢ１５４を参照して閾値を検索する（ステップＳ９２）。次に予め記憶部１５に記憶されている観測位置における観測日の、日の出時刻及び日の入り時刻を取得する（ステップＳ９３）。なお、当日の観測位置における日の出及び日の入り時刻は、図示しない気象データベースから通信部１６を介して受信するようにしても良い。
【００３９】
続いて現在時刻を時計部１８から取得し（ステップＳ９４）、現在時刻に応じて閾値を補正する処理を行う（ステップＳ９５）。かかる補正は図１０に示す閾値補正テーブル１５６に従って行われる。図１０は閾値補正テーブル１５６の内容を示す説明図である。時刻に対応させて補正すべき閾値が登録されている。例えば日の入り時刻が１８時、閾値が６等星以上である場合、それよりも１時間前の１７時では０．５等星マイナスし５．５等星以上と閾値を補正する。一方、日の入り時刻の２時間後の２０時では夜も更けてくるので１．０等星プラスして７．０等星以上と閾値を補正する。ＣＰＵ１１は適宜のタイミングで（例えば１時間毎に）、現在時間を取得し、閾値補正テーブル１５６を参照して、ステップＳ９２で検索した閾値に補正する処理を行う。
【００４０】
ＣＰＵ１１は星ＤＢ１５１に登録された各星の等級（明度）を読み出し、補正した閾値以上の星のみの情報を表示部駆動回路１４１へ出力する（ステップＳ９６）。またＣＰＵ１１は補正後の閾値に応じた明度、色相の星空に係る画像信号を表示部駆動回路１４１へ出力する（ステップＳ９７）。例えば、閾値に対応させて明度レベル、色相レベル（Ｒ、Ｇ、Ｂの各レベル）を記憶部１５に記憶しておき、星の表示座標を除いて、この明度、色相レベルに応じた星空の画像を出力するようにすればよい。なお、本実施の形態においては閾値の補正を座標全域に均一に補正することとしたが、これに限らず箇所に応じて複数の閾値を設けるようにしても良い。例えば日の出時刻の場合、東側が明るいので、東方向の領域の閾値を高く設定しておき、西方向の領域の閾値を低く設定するようにしても良い。
【００４１】
図１１は学習ＤＢ１５７のレコードレイアウトを示す説明図である。学習ＤＢ１５７は他のコンピュータ（図示せず）から受信した学習用の問題が記憶されている。これらの問題は教師が作成し、学外学習の日に星座表示装置１へ配信される。生徒は学習の成果を確認するために、この問題を解き、解答を他のコンピュータへ送信する。
【００４２】
図１２は学習用の問題を送信する場合の処理手順を示すフローチャートである。教師によって作成された学習用の問題は、送信日時が指定されて、各生徒が所有する星座表示装置１へ送信される。星座表示装置１は送信された学習用の問題を受信し（ステップＳ１２１）、その問題を学習ＤＢ１５７に記憶する。学習ＤＢ１５７には受信日時、学習用の問題のタイトル、ファイルが記憶される（ステップＳ１２２）。
【００４３】
星座の観測が終了した後、入力部１３からの指示に従い、ＣＰＵ１１は学習ＤＢ１５７から学習用の問題を読み出して、表示部１４へ表示する（ステップＳ１２３）。ＣＰＵ１１は入力部１３から入力された問題に対する解答を受け付け（ステップＳ１２４）、他のコンピュータ（図示せず）へ解答を送信する（ステップＳ１２５）。
【００４４】
【発明の効果】
以上詳述した如く、本発明にあっては、位置検出部から出力される位置情報及び時計部から出力される日時情報に基づいて、星の座標値を特定する。そして、特定した座標値へ予め登録した明度または色相に応じた星及び星空を表示部へ出力した後、観測者の視点から前記表示部までの距離を設定する。距離が設定された場合、設定した距離に応じて前記表示部への出力する星及び星空の表示高度を、例えば同心円状に変化させることによって決定する。このように構成したので、より自然現象の理解を深めることが可能となる。
【００４５】
本発明にあっては、仰角検出部から出力される仰角、及び、前記方位角検出部から検出される方位角に基づいて、表示部へ出力される星及び星空の表示位置を補正するようにしたので、観測者が仰角を変更させ、また方角を変更させた場合でも、現実の星及び星空に対応した画像が表示され、自然現象を正確に理解することが可能となる。
【００４６】
本発明にあっては、位置情報に応じて、表示部へ出力する星の明度に対する閾値を設定する。これにより、自然現象に与える光害の影響をも理解することが可能となる。また、太陽の日の出または日の入り時刻に基づいて、設定した閾値を補正する。これにより、太陽が他の星に与える影響をも考慮した学習が可能となる。
【００４７】
本発明にあっては、通信部を介して外部から学習用の問題を受信し、受信した学習用の問題を記憶しておく。そして、星座観測終了後に、記憶した学習用の問題を読み出して表示部へ出力するようにしたので、教師が作成した問題を配信して生徒の星座表示装置ですぐに学習でき、観測の効果を容易に確認することが可能となる等、本発明は優れた効果を奏し得る。
【図面の簡単な説明】
【図１】本発明に係る星座表示装置のハードウェア構成を示すブロック図である。
【図２】星ＤＢのレコードレイアウトを示す説明図である。
【図３】表示部に表示される星及び星空のイメージを示す説明図である。
【図４】視野角ＤＢのレコードレイアウトを示す説明図である。
【図５】表示部へ出力する星及び星空の範囲を補正する際の処理手順を示すフローチャートである。
【図６】観測者が星座表示装置の仰角を変えた場合に、表示されるイメージを示す説明図である。
【図７】観測する仰角及び方角を変更した場合における表示位置の補正処理手順を示すフローチャートである。
【図８】光害ＤＢのレコードレイアウトを示す説明図である。
【図９】光害を考慮した星の表示処理手順を示すフローチャートである。
【図１０】閾値補正テーブルの内容を示す説明図である。
【図１１】学習ＤＢのレコードレイアウトを示す説明図である。
【図１２】学習用の問題を送信する場合の処理手順を示すフローチャートである。
【符号の説明】
１    星座表示装置
１３  入力部
１４  表示部
１４１  表示部駆動回路
１８  時計部
１５  記憶部
１５１  星ＤＢ
１５２  流星ＤＢ
１５３  視野角ＤＢ
１５４  光害ＤＢ
１５５  地形画像ＤＢ
１５６  閾値補正テーブル
１５７  学習ＤＢ
１６  通信部
１９  仰角検出部
Ｇ  ＧＰＳモジュール
Ｇ１  位置検出部
Ｇ２  方位角検出部
Ｇ３  ＧＰＳアンテナ
Ｇ４  地図データ記憶部
【図１】
0003957508.tif 000002
【図２】
0003957508.tif 000003
【図３】
0003957508.tif 000004
【図４】
0003957508.tif 000005
【図５】
0003957508.tif 000006
【図６】
0003957508.tif 000007
【図７】
0003957508.tif 000008
【図８】
0003957508.tif 000009
【図９】
0003957508.tif 000010
【図１０】
0003957508.tif 000011
【図１１】
0003957508.tif 000012
【図１２】
0003957508.tif 000013